(57)【要約】【課題】昇降機システムの音声アナウンス・データ書き込みシステムおよび方法を提供する。【解決手段】システムは、複数種の各音声アナウンスに対応する複数の音声データ・ファイルとそのファイル管理データを含む第１のデータ・セットを格納する第１の不揮発性記憶装置から第１のデータ・セットを読み出す手段と、第１のデータ・セット内のファイル管理データと、第１のデータ・セットと同一のデータ配列を有する標準的な第２のデータ・セット内のファイル管理データを比較する比較手段を備える。また、比較結果に基づいて、第１のデータ・セットには含まれるが第２のデータ・セット内の音声データ・ファイルには一致しない不一致データ・ファイルを特定する手段と、不一致データ・ファイルと第２のデータ・セットに基づいて、第１のデータ・セットと同一のデータ配列の第３のデータ・セットを生成する手段と、第３のデータ・セットを音声アナウンス装置内の書き込み可能な第２の不揮発性記憶装置に書き込む手段を備える。【選択図】図５
2011256025.tif 000002
【特許請求の範囲】
【請求項１】
昇降機システムにおける複数種の音声アナウンスにそれぞれ対応する複数の音声データ・ファイルを含むとともに前記複数の音声データ・ファイルが格納されている記憶領域を示すファイル管理データを含む第１のデータ・セットが格納されている第１の不揮発性記憶装置から前記第１のデータ・セットを読み出すデータ読み出し手段と、
このデータ読み出し手段によって読み出された前記第１のデータ・セットに含まれるファイル管理データと、昇降機システムにおける複数種の標準的な音声アナウンスにそれぞれ対応する複数の音声データ・ファイルを含むとともに前記複数の標準的な音声データ・ファイルが格納されている記憶領域を示すファイル管理データを含み前記第１のデータ・セットと同一のデータ配列を有する標準的な第２のデータ・セットに含まれるファイル管理データとを比較するデータ比較手段と、
このデータ比較手段による比較結果に基づいて、前記第１のデータ・セットには含まれるが前記第２のデータ・セットに含まれる音声データ・ファイルには一致しない不一致データ・ファイルを特定する不一致データ・ファイル特定手段と、
特定された不一致データ・ファイルと、前記第２のデータ・セットに基づいて、前記第１のデータ・セットと同一のデータ配列を有する第３のデータ・セットを生成するデータ生成手段と、
前記生成された第３のデータ・セットを、昇降機システムで用いられる音声アナウンス装置に実装された書き込み可能な第２の不揮発性記憶装置に書き込むデータ書き込み手段と
を備えることを特徴とする昇降機システムの音声アナウンス・データ書き込みシステム。
【請求項２】
前記データ比較手段は、さらに、前記第１のデータ・セットに含まれる音声データ・ファイルと、前記第２のデータ・セットに含まれる音声データ・ファイルとを比較することを特徴とする請求項１に記載の昇降機システムの音声アナウンス・データ書き込みシステム。
【請求項３】
前記システムは、
音声データ・ファイルを編集する音声データ編集手段と、
前記不一致データ・ファイルを、通信網を介して、前記データ編集手段に送信する手段と、
前記音声データ編集手段によって編集された不一致データ・ファイルを、通信網を介して、受信する手段とを、さらに、備え、
前記データ生成手段は、前記編集された不一致データ・ファイルと、前記第２のデータ・セットに基づいて、前記第１のデータ・セットと同一のデータ配列を有する第３のデータ・セットを生成することを特徴とする請求項１または請求項２に記載の昇降機システムの音声アナウンス・データ書き込みシステム。
【請求項４】
昇降機システムにおける複数種の音声アナウンスにそれぞれ対応する複数の音声データ・ファイルを含むとともに前記複数の音声データ・ファイルが格納されている記憶領域を示すファイル管理データを含む第１のデータ・セットが格納されている第１の不揮発性記憶装置から前記第１のデータ・セットを読み出すデータ読み出しステップと、
このステップにおいて読み出された前記第１のデータ・セットに含まれるファイル管理データと、昇降機システムにおける複数種の標準的な音声アナウンスにそれぞれ対応する複数の音声データ・ファイルを含むとともに前記複数の標準的な音声データ・ファイルが格納されている記憶領域を表すファイル管理データを含み前記第１のデータ・セットと同一のデータ配列を有する標準的な第２のデータ・セットに含まれるファイル管理データとを比較するデータ比較ステップと、
このデータ比較ステップにおける比較結果に基づいて、前記第１のデータ・セットに含まれるが前記第２のデータ・セットには含まれる音声データ・ファイルには一致しない不一致データ・ファイルを特定するステップと、
特定された不一致データ・ファイルと、前記第２のデータ・セットに基づいて、前記第１のデータ・セットと同一のデータ配列を有する第３のデータ・セットを生成するデータ生成ステップと、
前記生成された第３のデータ・セットを、昇降機システムで用いられる音声アナウンス装置に実装された書き込み可能な第２の不揮発性記憶装置に書き込むデータ書き込みステップと
を含むことを特徴とする昇降機システムの音声アナウンス・データ書き込み方法。
【請求項５】
前記データ比較ステップにおいて、さらに、前記第１のデータ・セットに含まれる音声データ・ファイルと、前記第２のデータ・セットに含まれる音声データ・ファイルとを比較することを特徴とする請求項４に記載の昇降機システムの音声アナウンス・データ書き込み方法。
【請求項６】
前記方法は、
前記不一致データ・ファイルを、通信網を介して、音声データ・ファイルを編集するデータ編集装置に送信するステップと、
編集された不一致データ・ファイルを、通信網を介して、受信するステップとを、さらに、含み、
前記データ生成ステップにおいては、前記編集された不一致データ・ファイルと、前記第２のデータ・セットに基づいて、前記第１のデータ・セットと同一のデータ配列を有する第３のデータ・セットを生成することを特徴とする請求項４または請求項５に記載の昇降機システムの音声アナウンス・データ書き込み方法。
【発明の詳細な説明】
【技術分野】
【０００１】
本発明の実施形態は、エレベータまたはエスカレータ等の昇降機システムにおいて音声アナウンスを行う装置に音声アナウンス・データを書き込むシステムおよび方法に関する。
【背景技術】
【０００２】
エレベータあるいはエスカレータ等の昇降機システムにおいては、搭乗者の安全および便宜のために案内アナウンスを行う音声アナウンス装置を備えたシステムが数多くある。アナウンスの種類としては、到着階アナウンス、エレベータの戸開閉アナウンス、管制アナウンスあるいはエスカレータでの繰り返し注意喚起のアナウンス等がある。最近の音声アナウンス装置では、音声アナウンスの内容を音声ＲＯＭ等に格納し、アナウンスを行うときに適切な音声アナウンスの内容を音声ＲＯＭ等から読み出している。
【０００３】
音声アナウンスのメッセージには、昇降機が設置されている建物、あるいは建物がある地域に特有ではない標準的なものが多いが、建物、あるいは建物がある地域に特有であるか特殊である固有なメッセージをアナウンスする音声アナウンス装置も、しばしば存在する。このような音声アナウンス装置が故障した場合、交換等が必要になるが、交換する新たな音声アナウンス装置には、通常、標準的なメッセージしか格納されておらず、故障した音声アナウンス装置でアナウンスしていた固有なメッセージは新たな音声アナウンス装置ではアナウンスできない問題点があった。
【発明の概要】
【発明が解決しようとする課題】
【０００４】
本発明は、上記のような問題点に鑑みてなされたもので、昇降機システムの音声アナウンス・データを書き込むシステムおよび方法を提供することを目的とする。
【課題を解決するための手段】
【０００５】
本発明の実施形態による昇降機システムの音声アナウンス・データ書き込みシステムは、昇降機システムにおける複数種の音声アナウンスにそれぞれ対応する複数の音声データ・ファイルを含むとともに複数の音声データ・ファイルが格納されている記憶領域を示すファイル管理データを含む第１のデータ・セットが格納されている第１の不揮発性記憶装置から第１のデータ・セットを読み出すデータ読み出し手段と、読み出された第１のデータ・セットに含まれるファイル管理データと、昇降機システムにおける複数種の標準的な音声アナウンスにそれぞれ対応する複数の音声データ・ファイルを含むとともに複数の標準的な音声データ・ファイルが格納されている記憶領域を示すファイル管理データを含み第１のデータ・セットと同一のデータ配列を有する標準的な第２のデータ・セットに含まれるファイル管理データとを比較するデータ比較手段とを備える。ここで、本願において、標準的な音声アナウンスは、昇降機が設置されている建物または地域に固有なものではなく、母国語による音声アナウンスを意味する。このシステムは、また、データ比較手段による比較結果に基づいて、第１のデータ・セットには含まれるが第２のデータ・セットに含まれる音声データ・ファイルには一致しない不一致データ・ファイルを特定する不一致データ・ファイル特定手段と、特定された不一致データ・ファイルと、第２のデータ・セットに基づいて、第１のデータ・セットと同一のデータ配列を有する第３のデータ・セットを生成するデータ生成手段と、生成された第３のデータ・セットを、昇降機システムで用いられる音声アナウンス装置に実装された書き込み可能な第２の不揮発性記憶装置に書き込むデータ書き込み手段とを備える。
【図面の簡単な説明】
【０００６】
【図１】本発明の実施形態が適用されるエレベータ・システム全体の概要を模式的に表した図である。
【図２】本発明の実施形態における音声アナウンス装置の構成を表すブロック図の一例である。
【０００７】
図２を参照しながら音声アナウンス装置１１０の構成の一例を説明する。
【図３】本発明の実施形態における、音声アナウンスに関連するデータを保存するＲＯＭにおける記憶領域の構成の一例を表す図である。
【図４】本発明の一実施形態によるシステム構成の一例を表す図である。
【図５】本発明の一実施形態における音声アナウンス・データを書き込む動作の一例を表すフローチャートである。
【発明を実施するための形態】
【０００８】
以下、適宜、図面を参照しながら本発明の一例としての実施の形態の説明を行う。尚、本発明はエスカレータ・システムにも適用されるが、以下の説明においてはエレベータ・システムについて述べる。図１に本発明の実施形態が適用されるエレベータ・システム全体の概要を模式的に示す。乗りかご１０２は図示しない乗りかご枠に収容され、メイン・ロープの一端に取り付けられた乗りかご枠は、エレベータを走行させる動力源のモータとメイン・ロープを掛けるつな車を有する巻き上げ機１０４によって昇降路内を走行する。メイン・ロープの他端にはつり合い重りが吊り下げられる。巻き上げ機１０４のモータ、および巻き上げ機１０４の回転を制動するブレーキは、主制御装置１０６によって制御され、乗りかご１０２を走行させ、着床階で停止させる。ブレーキはエレベータ運行の安全性の観点から、通常、複数設けられる。各着床階には乗り場ドア１０８が設けられている。また、搭乗者の安全、便宜を図るために、各着床階および乗りかご１０２には音声アナウンス装置１１０を設けることが、しばしばある。
【０００９】
主制御装置１０６はエレベータの運行制御および巻き上げ機１０４の制御を行うとともに、それぞれの音声アナウンス装置１１０に適切なタイミングでアナウンスする内容を指示する。このような主制御装置１０６からの指示は、伝送路１１２を介して、図示しない乗り場制御装置、乗りかご制御装置に伝達され、これらの制御装置が主制御装置１０６からの指示を各音声アナウンス装置１１０に伝達する。
【００１０】
次に、図２を参照しながら音声アナウンス装置１１０の構成の一例を説明する。音声アナウンス装置１１０は、伝送路１１２を介して、主制御装置１０６等とデータ通信を行うための通信インターフェイス２０２を備える。主制御装置１０６は、音声アナウンス装置１１０によって音声アナウンスを流すタイミングで、如何なる音声アナウンスを流すのかを表す音声アナウンス・コマンドを含むシリアル・データを送出する。通信インターフェイス２０２は、主制御装置１０６からシリアル・データを受信すると、受信したシリアル・データを、例えば、８ビットのパラレル・データに変換し、通信インターフェイス２０２に接続されている通信インターフェイス２０２の制御等を行う伝送制御プロセッサ２０４に伝達する。
【００１１】
伝送制御プロセッサ２０４は、通信インターフェイス２０２から伝達されたパラレル・データから音声アナウンス・コマンドを抽出する。伝送制御プロセッサ２０４には、その出力に基づいて音声データを処理するＤＳＰまたはＣＰＵである音声処理プロセッサ２０６が接続されている。音声処理プロセッサ２０６は、その音声処理状態を表すステータス信号を伝送制御プロセッサ２０４に伝達する。伝送制御プロセッサ２０４は、抽出した音声アナウンス・コマンドを音声処理プロセッサ２０６に伝達するか否かを、音声処理プロセッサ２０６からのステータス信号に基づいて判断する。音声処理プロセッサ２０６が音声処理を行っている状態で、新たな音声アナウンス・コマンドを音声処理プロセッサ２０６に伝達しても、実行中の音声処理を中断することはできないためである。ステータス信号が、音声処理プロセッサ２０６で音声処理を行っていないことを表しているとき、伝送制御プロセッサ２０４によって抽出された音声アナウンス・コマンドが、音声処理プロセッサ２０６に伝達される。音声処理プロセッサ２０６は、制御入力端子２０６ａを備え、通常の動作時には、音声処理タスクを実行する。次に、音声処理プロセッサ２０６による音声処理タスクについて説明する。
【００１２】
音声アナウンス・コマンドを受信すると、音声処理プロセッサ２０６は、受信したコマンドが、どの音声アナウンスの出力を指示しているかを特定するために、ＲＯＭ２０８に格納されている音声データ・ファイルの記憶領域を表すファイル管理データであるデータ・テーブルを参照する。データ・テーブルには、それぞれの音声データ・ファイルの記憶領域の開始アドレスおよび終了アドレスの値が、音声アナウンス・コマンドに関連付けて保存されている。ＲＯＭ２０８としては、例えば、ＥＰＲＯＭを用いることができる。音声処理プロセッサ２０６は、コマンドに対応し、データ・テーブルに保存されている開始アドレスから終了アドレスまでの記憶領域に格納されている音声データ・ファイルのデータを順次読み出し、読み出した音声データ・ファイルを復号化し、復号した音声データをＤ／Ａ変換する。音声処理プロセッサ２０６によって、音声データ・ファイルからアナログに変換された音声アナウンス電気信号は、アンプ２１０によって増幅され、スピーカ２１２を駆動する。この結果、コマンドに対応する音声アナウンスがスピーカ２１２から出力される。
【００１３】
ここで、音の符号化方式は、ＰＣＭ、ＡＤＰＣＭ、ＭＰ３等、多岐にわたるが、昇降機システムにおける音声アナウンスの用途においては、音質および符号化後のデータ・サイズの観点から、ＡＤＰＣＭ符号化方式が、もっとも一般的に採用されている。ＡＤＰＣＭ符号化方式は、直前のデータとの差分を適応的に符号化する方式であり、４ｂｉｔで符号化しても音質の劣化は少ない。４ｂｉｔでＡＤＰＣＭ符号化すれば、同じ持続時間の音声データを、ＣＤ品質の１６ｂｉｔ符号化ＰＣＭに比べて１／４のデータ・サイズ、８ｂｉｔ符号化ＰＣＭに比べても１／２のデータ・サイズに圧縮される。例えば、２ＭｂｉｔのＲＯＭを８個用いることによって、平均５秒間の音声アナウンスを４ｂｉｔでＡＤＰＣＭ符号化した音声データ・ファイルを２００個保存することができる。但し、本発明は音声の符号化方式に依存するものではない。
【００１４】
エレベータ・システムにおいては様々な音声アナウンスが行われる。例えば、乗りかごに搭乗し、行き先階ボタンを押した後にドアが閉まる時に「ドアが閉まります」という音声アナウンスが流される。乗りかごが停止する着床階、例えば３階に到着すると、「３階です」という階床アナウンスが流される。また、エレベータの走行あるいは搭乗者の安全に関わる事象が発生したときには、管制アナウンスとして、「停電が発生しました」という停電アナウンス、「火災が発生しました」という火災アナウンス、「地震が発生しました」という地震アナウンスが流される。以上、例として挙げた音声アナウンスは、エレベータが設置されている建物または地域に固有なものでも、特殊なものでもなく、大多数のエレベータ・システムにおいて共通して用いることができる。本願においては、エレベータ等の昇降機が設置されている建物または地域に固有なものではなく、母国語による音声アナウンスを、「標準的な音声アナウンス」という。一方、例えば、建物の着床階の呼称が１階、２階、・・・ではなく、Ａ階、Ｂ階・・・であり、「Ｂ階です」というような階床アナウンスは、エレベータが設置されている建物固有なものであり、標準的な音声アナウンスではない。また、日本国内で外国語による音声アナウンスは特殊であり、標準的な音声アナウンスではない。さらに、マンション等で管制アナウンスを特殊なメッセージにしている場合も、その音声アナウンスは標準的な音声アナウンスではない。本願においては、標準的な音声アナウンスではない音声アナウンスは、すべて、非標準的な音声アナウンスとする。
【００１５】
以下、本明細書においては、エレベータが設置されている建物が３階に別な建物への連絡通路があり、乗りかごが３階に着床する時に「３階は連絡通路となっております」という階床アナウンスを流し、他の階、例えば４階に着床する時には「４階です」という階床アナウンスを流す場合を想定し、説明を簡潔にするため、「３階は連絡通路となっております」という階床アナウンスのみが非標準的な音声アナウンスであるとする。この想定は説明のための例示であって、本発明は他のケースにも適用可能であることは明らかであろう。
【００１６】
次に、図３を参照しながら、音声アナウンスに関連するデータを保存するＲＯＭ、例えば、図２に示したＲＯＭ２０８、における記憶領域の構成の一実施形態について説明する。尚、以降の説明において音声アナウンスに関連するデータを保存するＲＯＭを、音声データＲＯＭということがある。音声データＲＯＭにおける記憶領域の構成は、音声アナウンスを表す音声データ・ファイルの内容に依存するものではないが、先ず、格納する音声データ・ファイルが標準的な音声アナウンスに対応するもののみの場合の音声データＲＯＭにおける記憶領域の構成を、図３（ａ）を参照しながら説明する。
【００１７】
音声データＲＯＭには、音声アナウンスの内容に対応する複数の音声データ・ファイルと、それぞれの音声データ・ファイルが格納されている記憶領域を表すファイル管理データであるデータ・テーブルを含むデータ・セットが格納されており、音声データＲＯＭにおける記憶領域は、データ・テーブル領域３０２と音声データ・ファイル領域３０４に分けられている。音声データ・ファイル領域３０４には、例えば、アドレスＡからアドレスＢの領域に「１階です」という音声アナウンスを表す音声データ・ファイルが、アドレスＣからアドレスＤの領域に「２階です」という音声アナウンスを表す音声データ・ファイルが格納され、同様に、他の階床アナウンスを表す音声データ・ファイル、戸開閉アナウンス、上昇／下降アナウンス、停電アナウンス、火災アナウンス、地震アナウンス等の管制アナウンスにそれぞれ対応する音声データ・ファイルが格納されている。図３（ａ）に示した音声データ・ファイル領域３０４には、アドレスＥからアドレスＦの領域に「３階です」という標準的な音声アナウンスを表す音声データ・ファイルが格納されている。
【００１８】
データ・テーブル領域３０２には、上記のような個々の音声データ・ファイルが格納されている記憶領域の開始アドレス値および終了アドレス値が、それぞれ格納されている。例えば、前述した、「１階です」という音声アナウンスを表す音声データ・ファイルが格納されている記憶領域の開始アドレス値Ａおよび終了アドレス値Ｂ、「２階です」という音声アナウンスを表す音声データ・ファイルが格納されている記憶領域の開始アドレス値Ｃおよび終了アドレス値Ｄ等が、データ・テーブル領域３０２に格納されている。
【００１９】
前述したように、それぞれの音声データ・ファイルが格納されている各記憶領域の開始アドレス値と終了アドレス値は、主制御装置１０６から送出され、伝送制御プロセッサ２０４によって抽出される音声アナウンス・コマンドに関連付けて保存されている。例えば、「１階です」という音声アナウンスを表す音声データ・ファイルが格納されている記憶領域の開始アドレス値Ａと終了アドレス値Ｂは、対応する音声アナウンス・コマンドを表す“１”というコマンド・データ３０６に、「２階です」という音声アナウンスを表す音声データ・ファイルが格納されている記憶領域の開始アドレス値Ｃと終了アドレス値Ｄは、対応する音声アナウンス・コマンドを表す“２”というコマンド・データ３０６に関連付けられている。尚、参照符号３０８の部分には、それぞれの音声データ・ファイルが格納されている記憶領域の開始アドレス値と終了アドレス値を示してある。
【００２０】
次に、非標準的な音声アナウンスに対応する音声データ・ファイルを含む場合の音声データＲＯＭにおける記憶領域の構成を、図３（ｂ）を参照しながら説明する。図３（ｂ）に示すように、非標準的な音声アナウンスに対応する音声データ・ファイルを含む場合の音声データＲＯＭにおける記憶領域の構成自体は、図３（ａ）に示した、格納する音声データ・ファイルが標準的な音声アナウンスに対応するもののみの場合の音声データＲＯＭにおける記憶領域の構成と同一である。すなわち、非標準的な音声アナウンスに対応する音声データ・ファイルを含む場合の音声データＲＯＭに格納されるデータ・セットの配列と、格納する音声データ・ファイルが標準的な音声アナウンスに対応するもののみの場合の音声データＲＯＭに格納されるデータ・セットの配列とは同一である。図３（ｂ）に示す音声データＲＯＭにおける記憶領域に格納されている非標準的な音声データ・ファイルに対応する音声アナウンスは、「３階は連絡通路となっております」のみである。「３階は連絡通路となっております」という音声アナウンスに対応する音声データ・ファイルのデータ・サイズは、対応する標準的な音声アナウンス「３階です」に対応する音声データ・ファイルのデータ・サイズに比較して大きい。したがって、「３階は連絡通路となっております」という音声アナウンスに対応する音声データ・ファイルの終了アドレス値Ｆ’は、図３（ａ）に示した「３階です」という音声アナウンスに対応する音声データ・ファイルの終了アドレス値Ｆと異なり、かつ、大きな値となる。この影響を受け、「４階です」という音声アナウンスに対応する音声データ・ファイル以降のファイルを格納する各記憶領域の開始アドレス値および終了アドレス値は、それぞれ、Ｇ’、Ｉ’・・・およびＨ’、Ｊ’・・・という、図３（ａ）に示した値とは異なるアドレス値３０８’になっている。
【００２１】
この相違に対応して、データ・テーブル領域３０２に保存されている、音声データ・ファイルが格納されている記憶領域の開始アドレス値および終了アドレス値の一部が、図３（ａ）の場合とは異なる。
【００２２】
次に、図４および図５を参照しながら本発明の実施形態によるシステムの構成例と動作例に関して説明を行う。図４に音声アナウンス装置を新たな音声アナウンス装置１１０’に、エレベータが設置されている現場で交換する場合のシステム構成の一例を示す。交換前の音声アナウンス装置は、非標準的な音声アナウンスを流すことができる装置である。新たな音声アナウンス装置１１０’は、図２を参照しながら説明を行った音声アナウンス装置１１０と同一の構成となっている。したがって、通信インターフェイス４０２、伝送制御プロセッサ４０４、音声処理プロセッサ４０６、アンプ４１０およびスピーカ４１２は、それぞれ、通信インターフェイス２０２、伝送制御プロセッサ２０４、音声処理プロセッサ２０６、アンプ２１０およびスピーカ２１２と機能互換性がある。但し、ＲＯＭ４０８には、当初、データが格納されていない状態であり、交換前の音声アナウンス装置と同一の音声アナウンスに対応する音声データ・ファイルと、音声データ・ファイルが格納されている記憶領域を表すファイル管理データであるデータ・テーブルを書き込む必要がある。尚、ＲＯＭ４０８には、例えば、フラッシュＲＯＭを用いることができる。また、制御入力端子４０６ａも制御入力端子２０６ａと同じ機能を有するが、音声処理プロセッサ４０６に、音声処理タスクではなく、ＲＯＭ４０８にデータを書き込むタスクを実行させるための信号が入力されている状態にある。音声アナウンス装置１１０’は、伝送路１１２に接続されている。
【００２３】
伝送路１１２には、リード／ライタ４２０が着脱可能に接続されており、音声アナウンス装置１１０’と通信可能な状態にある。リード／ライタ４２０は、プロセッサ４２４を備え、プロセッサ４２４は、ＲＯＭ４２６およびＲＯＭ４２８に格納されているデータを読み出す機能と、通信インターフェイス４２２および通信インターフェイス４３０を介して、リード／ライタ４２０が外部の装置と通信する機能を有する。通信インターフェイス４２２はシリアル・インターフェイスであり、通信インターフェイス４３０は、例えば、ＵＳＢインターフェイスである。音声アナウンス装置１１０’には、例えば、ノート形パーソナル・コンピュータ等のデータ処理装置４３２（以下、ＰＣ４３２という）が着脱可能に接続されている。ＰＣ４３２は、通信網４３４を介して、例えば、音声アナウンス装置、音声アナウンス装置用の音声データＲＯＭあるいは音声データＲＯＭに書き込む音声データ・ファイルの編集業務を提供するベンダに設置されたデータ処理装置４３６と通信可能である。通信網４３４として、インターネット、ＶＰＮ、専用通信網または公衆網等を用いることができる。
【００２４】
図５に、交換前の音声アナウンス装置と同一の音声アナウンスに対応する音声データ・ファイルと、音声データ・ファイルが格納されている記憶領域を表すデータ・テーブルを、ＲＯＭ４０８に書き込む動作の一例を表すフローチャートを示す。ここで、リーダ／ライタ４２０に装着されているＲＯＭ４２６は、交換前の音声アナウンス装置に実装されていた音声ＲＯＭであり、格納されている音声アナウンス・データは、図３（ｂ）に示したデータである。また、リーダ／ライタ４２０に装着されているＲＯＭ４２８には、図３（ａ）に示した標準的な音声アナウンス・データが格納されている。先ず、Ｓ５０２で、プロセッサ４２４は、ＲＯＭ４２６に格納されている非標準的な音声アナウンスに対応する音声データ・ファイルを含む複数の音声データ・ファイルと、音声データ・ファイルが格納されている記憶領域を表すデータ・テーブルを読み出し、インターフェイス４３０を介して、ＰＣ４３２に転送する。Ｓ５０４で、ＰＣ４３２は、リーダ／ライタ４２０から転送されてきた非標準的な音声アナウンス・データをメモリに記憶する。プロセッサ４２４は、Ｓ５０５で、ＲＯＭ４２８に格納されている標準的な音声アナウンスに対応する音声データ・ファイルを含む複数の音声データ・ファイルと、音声データ・ファイルが格納されている記憶領域を表すデータ・テーブルを読み出し、インターフェイス４３０を介して、ＰＣ４３２に転送する。Ｓ５０６で、ＰＣ４３２は、リーダ／ライタ４２０から転送されてきた標準的な音声アナウンス・データをメモリに記憶する。ここで、ＰＣ４３２が標準的な音声アナウンス・データを保有している場合には、Ｓ５０５およびＳ５０６における動作は必要がない。
【００２５】
次にＳ５０８で、ＰＣ４３２は、ＲＯＭ４２６から読み出されメモリに記憶した非標準的な音声アナウンスに対応する音声データ・ファイルを含む音声アナウンス・データと、非標準的な音声アナウンスに対応する音声データ・ファイルを含まない音声アナウンス・データとを順次比較し、Ｓ５１０で、２つの音声アナウンス・データに不一致があるか否かを判断する。ここで、Ｓ５０８におけるデータ比較は、データ・テーブルについてのみ行っても良いし、データ・セットすべて、すなわちデータ・テーブルおよび音声データ・ファイルについて行っても良い。データ・テーブルについてのみデータ比較を行う実施形態は、比較処理が容易であるため、処理時間を短くてすることができる。一方、データ・セットすべてについてデータ比較を行う実施形態によれば、音声データ・ファイルについても比較処理を行うため、確実に２つの音声アナウンス・データに不一致があるか否かを判断することができる。
【００２６】
Ｓ５１０で、２つの音声アナウンス・データに不一致がないと判断されると、処理はＳ５１２に進み、データ比較を完了したか否かを判断する。データ比較が完了していないと判断すると、処理はＳ５０８に戻り、前述した処理を繰り返す。Ｓ５１０で、２つの音声アナウンス・データに不一致があると判断されると、処理はＳ５１４に進み、ＲＯＭ４２６から読み出された非標準的なデータ・セットには含まれるが、非標準的な音声アナウンスに対応する音声データ・ファイルを含まないデータ・セット、すなわち標準的なデータ・セットに含まれる音声データ・ファイルには一致しない不一致データ・ファイルを特定する。
【００２７】
Ｓ５０８においてデータ・セットすべてについてデータ比較を行う実施形態においては、データ・テーブルについてのデータ比較によってもデータの不一致が判断されるが、非標準的なデータ・セットに含まれる「３階は連絡通路になっております」という音声アナウンスに対応する音声データ・ファイルが、不一致データ・ファイルであることが容易に特定される。一方、Ｓ５０８においてデータ・テーブルについてのみデータ比較を行う実施形態においては、音声データ・ファイルの開始アドレスと終了アドレスから求められる、音声データ・ファイルのデータ・サイズに基づいて不一致データ・ファイルを特定する。すなわち「３階は連絡通路になっております」という音声アナウンスに対応する音声データ・ファイルが格納されている記憶領域はアドレスＥからＦ’でありデータ・サイズはＦ’−Ｅであるが、「３階です」という音声アナウンスに対応する音声データ・ファイルが格納されている記憶領域はアドレスＥからＦでありデータ・サイズはＦ−Ｅであり、データ・サイズが異なることが分かる。したがって、非標準的なデータ・セットに含まれ、アドレスＥからＦ’に格納されている「３階は連絡通路になっております」という音声アナウンスに対応する音声データ・ファイルが、不一致データ・ファイルであることが特定される。
【００２８】
ＰＣ４３２は、不一致データ・ファイルであると特定された音声データ・ファイル、すなわち、「３階は連絡通路になっております」という音声アナウンスに対応する音声データ・ファイルを、Ｓ５１５で、不一致データ記憶領域に記憶する。その後、処理はＳ５０８に戻り、前述した処理を繰り返す。
【００２９】
ＰＣ４３２が、Ｓ５１２で、データ比較が完了したと判断すると、処理はＳ５１５に進み、不一致データ記憶領域に記憶した不一致データ・ファイルを、通信網４３４を介して、音声データ・ファイルの編集機能を有するデータ処理装置４３６に送信し、データ処理装置４３６によって編集された不一致データ・ファイル（編集済み不一致データ・ファイル）をデータ処理装置４３６から受信する。ここで、データ処理装置４３６による編集には、例えば、音声データ・ファイルから音声を再生し、音声のミキシングを行う処理がある。Ｓ５１５における動作によれば、音質をより向上できる特定者および専門会社に不一致データ・ファイルを送信することによって、より音質が確保された編集済み不一致データ・ファイルを取得することができる。尚、Ｓ５１５における処理はオプション的なものであり、不一致データ・ファイルの編集が不要な場合は、Ｓ５１５をスキップしてもよい。
【００３０】
次にＳ５１６で、不一致データ・ファイルまたは編集済み不一致データ・ファイル（以下、単に「不一致データ・ファイル」という）に誤りが無いか否か等のチェックを行う。チェックの結果、データに異常が無ければ、ＰＣ４３２は、標準的なデータ・セットをベースとし、標準的なデータ・セットと不一致データ・ファイルとを合成し、ＲＯＭ４０８に書き込むべきデータ・セットを生成する処理に進む。
【００３１】
Ｓ５１８では、データ・テーブルを参照しながら、不一致データ・ファイルが、格納されるアドレス値の観点から何番目の音声データ・ファイルであるかを識別する。前述した想定においては、不一致データ・ファイルは、「３階は連絡通路になっております」という音声アナウンスに対応する音声データ・ファイルだけであり、このファイルは３番目の音声データ・ファイルであることが識別される。次いで、Ｓ５１８で行われた識別結果に基づき、Ｓ５２０で、不一致データ・ファイルの中での順番が最も早い不一致データ・ファイルに対応するデータ・テーブル領域のアドレス値を変更する。例えば、「３階は連絡通路になっております」という音声アナウンスに対応する音声データ・ファイルは標準的な「３階です」という音声アナウンスに対応する音声データ・ファイルに比較してデータ・サイズが大きいため、「３階は連絡通路になっております」という音声アナウンスに対応する音声データ・ファイルを格納する記憶領域の終了アドレス値をＦからＦ’（Ｆ’＞Ｆ）に変更する。
【００３２】
この結果、後続の音声データ・ファイルを格納する記憶領域を変更する必要があるため、Ｓ５２２で、後続の音声データ・ファイルを格納する記憶領域の開始アドレス、終了アドレスを、順次、自動的に変更し、音声データ・ファイル領域を再編成する。このとき、データ・テーブル領域に格納される開始アドレス値および終了アドレス値も修正される。この結果、ＲＯＭ４０８に書き込むべきデータ・テーブル領域に含まれるアドレス値が生成される。但し、この時点では音声データ・ファイル領域に格納されている音声データ・ファイルは標準的なファイルである。次いでＳ５２４で、ＲＯＭ４０８に書き込むべき音声データ・ファイル領域の所定の領域に不一致データ・ファイルが上書きされる。この結果、ＲＯＭ４０８に書き込むべき音声データ・ファイル領域が生成され、ＲＯＭ４０８に書き込むべきデータ・セットが完成する。
【００３３】
次にＳ５２６で、ＰＣ４３２は、生成したＲＯＭ４０８に書き込むべきデータ・セットをリード／ライタ４２０に転送し、リード／ライタ４２０は転送されたデータ・セットをシリアル通信で音声アナウンス装置１１０’に送信する。音声アナウンス装置１１０’がＲＯＭ４０８に書き込むべきデータ・セットを受信すると、プロセッサ４０６は、Ｓ５２８で、データ・セットをＲＯＭ４０８に書き込む。このようにして、音声アナウンス装置１１０’は交換前に使用されていた音声アナウンス装置によって流されていた音声アナウンスと同一の音声アナウンスを流すことができるようになる。
【００３４】
以上、音声アナウンス装置の交換を想定して説明を行ったが、音声ＲＯＭだけの交換が可能な場合にも本発明の実施形態によるシステムまたは方法は有効である。また、音声アナウンス装置の製造あるいは修理に際しても本発明の実施形態によるシステムまたは方法は有効である。
【００３５】
以上説明したように、本発明の実施形態によれば、昇降機システムの音声アナウンス・データを書き込むシステムおよび方法が提供される。
【００３６】
尚、本発明は上記の実施形態そのままに限定されるものではなく、実施段階ではその要旨を逸脱しない範囲で開示した構成要素を変形して具体化できる。また、上記の実施形態に開示されている複数の構成要素の適宜な組み合わせにより、種々の発明を形成できる。例えば、実施形態に示した全構成要素から幾つかの構成要素を削除してもよい。さらに、異なる実施形態にわたる構成要素を適宜組み合わせてもよい。
【符号の説明】
【００３７】
１０２・・・乗りかご、  １０４・・・巻き上げ機、
１０６・・・主制御装置、  １０８・・・乗り場ドア、
１１０、１１０’・・・音声アナウンス装置、  １１２・・・伝送路、
２０２、４０２・・・通信インターフェイス、
２０４、４０４・・・伝送制御プロセッサ、
２０６、４０６・・・音声処理プロセッサ、
２０６ａ、４０６ａ・・・制御入力端子、
２０８、４０８・・・ＲＯＭ、  ２１０、４１０・・・アンプ、
２１２、４１２’・・・スピーカ、  ３０２・・・データ・テーブル領域、
３０４・・・音声データ・ファイル領域、  ３０６・・・コマンド・データ、
３０８、３０８’・・・各音声データ・ファイルを格納する領域のアドレス情報、
４２０・・・リード／ライタ、  ４２２、４３０・・・通信インターフェイス、
４２４・・・プロセッサ、  ４２６、４２８・・・ＲＯＭ、
４３２・・・データ処理装置、ＰＣ、  ４３４・・・通信網、
４３６・・・データ処理装置
【図１】
2011256025.tif 000003
【図２】
2011256025.tif 000004
【図３】
2011256025.tif 000005
【図４】
2011256025.tif 000006
【図５】
2011256025.tif 000007